(57)【要約】【課題】火を使わずに食材に熱を加えることができるが、ＩＨ調理器の本体１に制御回路５が内蔵されているため、本体１の薄型化を図ることが困難である課題があった。また、通常はキッチンのガスレンジスペースに設置されるが、調理に伴う排気を換気する機能を備えていないため、別途換気扇が据え付けられている場所以外には設置することが困難であり、設置場所が制限されるなどの課題もあった。【解決手段】プレート部１１を支持する自立型架台１２が磁力線発生コイル１６を制御する制御回路１７を内蔵し、その自立型架台１２に空気清浄機１３を設置するようにした。【選択図】　　　　図１
2004031089.tif 000002
【特許請求の範囲】
【請求項１】
磁力線を発生するコイルが埋め込まれているプレート部と、上記プレート部に埋め込まれているコイルを制御する制御回路を内蔵するとともに、上記プレート部を支持する自立型架台と、上記自立型架台に設置され、調理に伴う排気を吸入する空気清浄機とを備えたＩＨ調理器。
【請求項２】
制御回路に対する操作内容を表示する表示部を光透過性の部材から為る自立型架台の壁面の内部に収納したことを特徴とする請求項１記載のＩＨ調理器。
【請求項３】
表示部が自立型架台の壁面の内部に取り外し自在に収納され、上記表示部が上記壁面から取り外されている状態でも操作内容の表示を受け付けることを特徴とする請求項２記載のＩＨ調理器。
【請求項４】
調理対象物の調理状況を監視する状況監視手段を自立型架台又は空気清浄機に設置し、制御回路が上記状況監視手段の監視結果に応じてコイルを制御することを特徴とする請求項１記載のＩＨ調理器。
【請求項５】
空気清浄機は、状況監視手段の監視結果に応じて排気の吸入量を調整することを特徴とする請求項４記載のＩＨ調理器。
【請求項６】
制御回路は、調理対象物の調理状況が予め設定された状況に到達すると、他の調理器具を起動することを特徴とする請求項４記載のＩＨ調理器。
【請求項７】
制御回路は、調理対象物の調理状況に応じて警報を発生することを特徴とする請求項４記載のＩＨ調理器。
【請求項８】
調理対象物を撮影するカメラを自立型架台又は空気清浄機に設置し、上記カメラの映像を表示部に出力することを特徴とする請求項２または請求項３記載のＩＨ調理器。
【請求項９】
制御回路は、自立型架台又は空気清浄機に設置されている人体検知センサが予め設定された期間以上連続して人体の存在を検知しない場合、コイルによる磁力線の発生を止めることを特徴とする請求項１から請求項８のうちのいずれか１項記載のＩＨ調理器。
【請求項１０】
プレート部が回転軸機構を介して自立型架台に支持されていることを特徴とする請求項１から請求項９のうちのいずれか１項記載のＩＨ調理器。
【請求項１１】
空気清浄機のフードが回転軸機構を介して自立型架台に支持されていることを特徴とする請求項１から請求項１０のうちのいずれか１項記載のＩＨ調理器。
【発明の詳細な説明】
【０００１】
【発明の属する技術分野】
この発明は、火を使わずに調理を行うＩＨ調理器に関するものである。
【０００２】
【従来の技術】
図８は従来のＩＨ調理器を示す構成図であり、図において、１はＩＨ調理器の本体、２は食材を入れる鍋、３は鍋２を載せるトッププレート、４は制御回路５から高周波電流が供給されると、磁力線を発生して鍋２の底に渦電流を流す磁力線発生コイル、５は図示せぬ操作部から出力される操作信号にしたがって磁力線発生コイル４を制御する制御回路である。
【０００３】
次に動作について説明する。
ユーザが図示せぬ操作部を操作して所望の火力を選択すると、その操作部から選択結果に応じた操作信号が制御回路５に出力される。
制御回路５は、操作部から操作信号を受けると、その操作信号にしたがって磁力線発生コイル４に高周波電流を供給する。
【０００４】
磁力線発生コイル４は、制御回路５から高周波電流が供給されると、鍋２の底に渦電流を流すために磁力線を発生する。
鍋２の底に渦電流が流れると、鍋２の有する抵抗成分によってジュール熱が発生し、鍋２の底が発熱するようになる。
【０００５】
【発明が解決しようとする課題】
従来のＩＨ調理器は以上のように構成されているので、火を使わずに食材に熱を加えることができるが、ＩＨ調理器の本体１に制御回路５が内蔵されているため、本体１の薄型化を図ることが困難である課題があった。また、通常はキッチンのガスレンジスペースに設置されるが、調理に伴う排気を換気する機能を備えていないため、別途換気扇が据え付けられている場所以外には設置することが困難であり、設置場所が制限されるなどの課題もあった。
【０００６】
この発明は上記のような課題を解決するためになされたもので、本体の薄型化を図ることができるとともに、別途換気扇が据え付けられている場所以外にも設置することができるＩＨ調理器を得ることを目的とする。
【０００７】
【課題を解決するための手段】
この発明に係るＩＨ調理器は、プレート部を支持する自立型架台がコイルを制御する制御回路を内蔵し、その自立型架台に空気清浄機を設置するようにしたものである。
【０００８】
この発明に係るＩＨ調理器は、制御回路に対する操作内容を表示する表示部を光透過性の部材から為る自立型架台の壁面の内部に収納するようにしたものである。
【０００９】
この発明に係るＩＨ調理器は、自立型架台の壁面の内部に表示部を取り外し自在に収納し、表示部が壁面から取り外されている状態でも操作内容の表示を受け付けるようにしたものである。
【００１０】
この発明に係るＩＨ調理器は、調理対象物の調理状況を監視し、その調理状況に応じてコイルを制御するようにしたものである。
【００１１】
この発明に係るＩＨ調理器は、空気清浄機が状況監視手段の監視結果に応じて排気の吸入量を調整するようにしたものである。
【００１２】
この発明に係るＩＨ調理器は、調理対象物の調理状況が予め設定された状況に到達すると、他の調理器具を起動するようにしたものである。
【００１３】
この発明に係るＩＨ調理器は、調理対象物の調理状況に応じて警報を発生するようにしたものである。
【００１４】
この発明に係るＩＨ調理器は、調理対象物を撮影するカメラを自立型架台又は空気清浄機に設置し、カメラの映像を表示部に出力するようにしたものである。
【００１５】
この発明に係るＩＨ調理器は、自立型架台又は空気清浄機に設置されている人体検知センサが予め設定された期間以上連続して人体の存在を検知しない場合、コイルによる磁力線の発生を止めるようにしたものである。
【００１６】
この発明に係るＩＨ調理器は、自立型架台が回転軸機構を介してプレート部を支持するようにしたものである。
【００１７】
この発明に係るＩＨ調理器は、自立型架台が回転軸機構を介して空気清浄機のフードを支持するようにしたものである。
【００１８】
【発明の実施の形態】
以下、この発明の実施の一形態を説明する。
実施の形態１．
図１はこの発明の実施の形態１によるＩＨ調理器を示す側面図であり、図２はこの発明の実施の形態１によるＩＨ調理器を示す斜視図である。図において、１１は磁力線を発生する磁力線発生コイル１６が埋め込まれているプレート部、１２はプレート部１１に埋め込まれている磁力線発生コイル１６を制御する制御回路１７を内蔵するとともに、プレート部１１を支持する自立型架台、１２ａは光透過性（透明、半透明）の部材から為る自立型架台１２の壁面、１３は自立型架台１２に設置され、調理に伴う排気を吸入する空気清浄機、１４は空気清浄機１３のフードである。
【００１９】
１５はＩＨ調理器の操作部、１６は制御回路１７から高周波電流が供給されると、磁力線を発生してプレート部１１上の鍋底に渦電流を流す磁力線発生コイル、１７は操作部１５から出力される操作信号にしたがって磁力線発生コイル１６に供給する高周波電流を制御する制御回路、１８は自立型架台１２の壁面１２ａの内部に収納され、制御回路１７に対する操作内容や各種情報を表示する液晶ディスプレイなどの表示部、１９はプレート部１１を折り畳んで格納するため、図中矢印の方向へのプレート部１１の回転を受け付ける回転軸機構、２０は空気清浄機１３のフード１４を折り畳んで格納するため、図中矢印の方向へのフード１４の回転を受け付ける回転軸機構である。
【００２０】
次に動作について説明する。
例えば、食材が入られている鍋がプレート部１１の上に載せられている状態で、ユーザが操作部１５を操作して所望の火力を選択すると、その操作部１５から選択結果に応じた操作信号が制御回路１７に出力される。
制御回路１７は、操作部１５から操作信号を受けると、その操作信号にしたがって磁力線発生コイル１６に高周波電流を供給する。
【００２１】
磁力線発生コイル１６は、制御回路１７から高周波電流が供給されると、鍋底に渦電流を流すために磁力線を発生する。
鍋底に渦電流が流れると、鍋の有する抵抗成分によってジュール熱が発生し、鍋底が発熱するようになる。
なお、表示部１８は、操作部１５の操作内容（例えば、火力の選択結果）などを表示するが、自立型架台１２の壁面１２ａは、光透過性（透明又は半透明）の部材を使用しているため、壁面１２ａの内部に収納されている表示部１８の表示内容を外部から確認することができる。
【００２２】
ここで、この実施の形態１におけるＩＨ調理器では、図１に示すように、制御回路１７が自立型架台１２に収納されているので、プレート部１１の薄型化を図ることができる。
また、自立型架台１２には空気清浄機１３が設置されており、空気清浄機１３は調理に伴う排気を吸入して、浄化された空気を吐き出すので、例えば、オフィスやショールームなど、一般的には調理するような場所でない所でも、ＩＨ調理器を設置することができる。
さらに、この実施の形態１におけるＩＨ調理器では、回転軸機構１９，２０を介してプレート部１１や空気清浄機１３のフード１４を支持しているので、調理を行わないときは、図中矢印の方向に、プレート部１１や空気清浄機１３のフード１４を回転させて格納することにより、スペースを有効に利用することができる。
【００２３】
実施の形態２．
図３はこの発明の実施の形態２によるＩＨ調理器を示す側面図であり、図４はこの発明の実施の形態２によるＩＨ調理器を示す斜視図である。図において、図１及び図２と同一符号は同一または相当部分を示すので説明を省略する。
２１は空気清浄機１３のフード１４に設置され、食材（調理対象物）の調理状況を監視する監視用センサ（状況監視手段）、２２は空気清浄機１３のフード１４に設置され、食材を撮影するＣＣＤカメラである。なお、監視用センサ２１及びＣＣＤカメラ２２は自立型架台１２に設置するようにしてもよい。
２３は自立型架台１２に設置され、人体の存在を検知する人体検知センサである。なお、人体検知センサ２３は空気清浄機１３のフード１４に設置するようにしてもよい。
また、人体センサとして、体重の有無によってＯＮ／ＯＦＦするスイッチを人が立つ位置に敷かれた剛性のマットの下に設けてもよい。
【００２４】
図５は監視用センサ２１の内部を示す構成図であり、図において、３１は食材の表面を撮像するカメラ、３２は調理前の食材のカメラ映像を格納するメモリ、３３は調理開始後のカメラ映像を格納するメモリ、３４は調理前の食材のカメラ映像と調理開始後のカメラ映像とを比較して、食材の色変化を示す色変化データを出力する比較部である。なお、監視用センサ２１がカメラ３１の代わりに、例えば、食材の表面の温度を検出する赤外線センサを搭載する場合、比較部３４は、調理前の食材の表面温度と調理開始後の食材の表面温度とを比較して、食材の温度変化を示す温度変化データを出力するようにする。
【００２５】
図６は制御回路１７の内部を示す構成図であり、図において、４１は料理毎の色変化パターンを格納し、ユーザから今回調理する料理の指定を受け付けるパターン設定部、４２はパターン設定部４１により受け付けられた料理の色変化パターンと監視用センサ２１から出力された色変化データを比較して料理の進捗状況を把握する進捗状況把握部、４３は料理の進捗状況に応じて磁力線発生コイル１６に供給する高周波電流の強弱を制御するとともに、ＩＨ調理器による調理がある段階に到達すると、ＩＨ調理器とネットワーク接続されている電子レンジ５０を起動する制御部、４４は人体検知センサ２３から人体が存在しない旨を示す信号を受けるとカウント値を所定の時間毎にインクリメントする一方、人体検知センサ２３から人体が存在する旨を示す信号を受けるとカウント値をリセットし、そのカウント値が予め設定された期間に相当するカウント値に到達すると、高周波電流の供給停止指令を出力するカウント部、５０は電子レンジ（他の調理器具）、５１は各種料理の色変化パターンや火力調整パターンを保持するサーバである。
なお、パターン設定部４１が料理毎の色変化パターンの代わりに、例えば、料理毎の温度変化パターンを格納し、監視用センサ２１から温度変化データを受けると、その温度変化パターンと温度変化データを比較して料理の進捗状況を把握するようにしてもよい。
【００２６】
次に動作について説明する。
監視用センサ２１には、食材の表面の温度を検出する赤外線センサや、食材の表面を撮像するカメラ等が搭載されるが、図５に示すように、監視用センサ２１がカメラ３１を搭載している場合、調理前の食材のカメラ映像と調理開始後のカメラ映像とを比較して食材の色変化を監視し、食材の色変化を示す色変化データを出力する。
パターン設定部４１は、電源ＯＮ時に、所定の複数の調理の色変化パターンをサーバ５１からネットワーク経由で取得し、図示しない記憶領域に設定する。
また、パターン設定部４１はユーザから指定された調理の色変化パターンを保有していない場合、サーバ５１からネットワーク経由で該当する色変化パターンを取得して記憶領域に設定する。
【００２７】
制御回路１７の進捗状況把握部４２は、パターン設定部４１がユーザから今回調理する料理の指定を受け付けたのち、監視用センサ２１から色変化データを受けると、その色変化データと今回調理する料理の色変化パターンとを比較して料理の進捗状況を把握する。
そして、制御回路１７の制御部４３は、進捗状況把握部４２が料理の進捗状況を把握すると、料理の進捗状況に応じて磁力線発生コイル１６に供給する高周波電流を制御する。例えば、料理の進捗状況に応じて設定されている火力調整パターンにしたがって火力を調整する。
【００２８】
なお、今回の料理に対応する色変化パターンが設定されていないような場合には、進捗状況把握部４２が食材の色が黒に近づくと焦げの発生を検知して、制御部４３が磁力線発生コイル１６に対する高周波電流の供給を停止するようにしてもよい。この際、進捗状況把握部４２は焦げの発生を示す警報を発生するようにしてもよい。ここでは、食材の色変化を監視しているが、監視用センサ２１として臭いセンサ（例えば、ガスクロマトグラフィ）が搭載されている場合には、臭いセンサが臭いの変化を監視して焦げの発生を検知するようにしてもよい。
また、今回の料理に対応する色変化パターンが設定されていないような場合には、パターン設定部４１がインターネットなどのネットワーク経由で、サーバ５１から今回の料理に対応する色変化パターンや火力調整パターンを収集するようにしてもよい。
【００２９】
さらに、制御回路１７の制御部４３は、進捗状況把握部４２により把握された料理の進捗状況が予め設定された状況に到達すると、他の調理器具を起動するようにしてもよい。
例えば、ＩＨ調理器による調理がある段階に到達した時点で、ＩＨ調理器とネットワーク接続されている電子レンジ５０を起動すると、料理を効率的に行うことができるような場合には、その時点に到達したとき制御回路１７の制御部４３が電子レンジ５０を起動するようにする。なお、このような状況は、例えば、色変化パターンに含めて設定しておけばよい。
【００３０】
一方、制御部４３は、監視用センサ２１から例えば食材の表面の温度を示すデータを受けると、食材の表面の温度が高い程、調理に伴う排気が増えているものと判断して、排気の吸入量を調整するように空気清浄機１３を制御する。
これにより、無駄な電力を使うことなく、調理に伴う排気を効率的に浄化することができる。
【００３１】
この実施の形態２におけるＩＨ調理器では、監視用センサ２１の他に、食材を撮影するＣＣＤカメラ２２が設置されており、ＣＣＤカメラ２２の映像は表示部１８に出力される。
これにより、表示部１８には食材の映像が表示されるが、表示部１８が自立型架台１２の壁面１２ａの内部に取り外し自在に収納され、表示部１８が壁面１２ａから取り外されている状態でも、操作部１５の操作内容やＣＣＤカメラ２２の映像の表示を受け付ける場合には（例えば、表示部１８が操作部１５やＣＣＤカメラ２２から表示信号を無線方式で受信できるように構成されている場合、即ち、操作部１５及びＣＣＤカメラ２２と表示部１８が図７に示すように無線機を搭載しているような場合）、ユーザが表示部１８を持ち出せば、ＩＨ調理器から離れた所でも、食材の状態等を把握することができる。因みに、自立型架台１２の壁面１２ａは、例えば、油汚れ等の掃除を容易にするため凹凸がないように施されている。
【００３２】
なお、制御回路１７の制御部４３は、安全を確保する観点から、人体検知センサ２３が予め設定された期間以上連続して人体の存在を検知しない場合、磁力線発生コイル１６に対する高周波電流の供給を停止するようにする。
即ち、制御部４３は、カウント部４４のカウント値が予め設定された期間に相当するカウント値に到達して、カウント部４４から高周波電流の供給停止指令を受けると、磁力線発生コイル１６に対する高周波電流の供給を停止する。
【００３３】
この実施の形態２では、食材の色変化と色変化パターンを比較して、料理の進捗状況を把握するものについて示したが、これに限るものではなく、例えば、監視用センサ２１として熱電対が搭載されている場合には、食材の温度変化を監視して料理の進捗状況を把握してもよい。また、監視用センサ２１として音センサが搭載されている場合には、その音センサが調理音を収集し、その調理音を構成する任意の周波数成分を監視して料理の進捗状況を把握してもよい。
【００３４】
【発明の効果】
以上のように、この発明によれば、プレート部を支持する自立型架台がコイルを制御する制御回路を内蔵し、その自立型架台に空気清浄機を設置するように構成したので、プレート部の薄型化を図ることができるとともに、別途換気扇が据え付けられている場所以外にも設置することができる効果がある。
【００３５】
この発明によれば、制御回路に対する操作内容を表示する表示部を光透過性の部材から為る自立型架台の壁面の内部に収納するように構成したので、表示部の表示面の汚れを防止することができる効果がある。
【００３６】
この発明によれば、自立型架台の壁面の内部に表示部を取り外し自在に収納し、表示部が壁面から取り外されている状態でも操作内容の表示を受け付けるように構成したので、ＩＨ調理器から離れた所でも、操作内容を確認することができる効果がある。
【００３７】
この発明によれば、調理対象物の調理状況を監視し、その調理状況に応じてコイルを制御するように構成したので、調理の自動化を図ることができる効果がある。
【００３８】
この発明によれば、空気清浄機が状況監視手段の監視結果に応じて排気の吸入量を調整するように構成したので、調理に伴う排気を効率的に浄化することができる効果がある。
【００３９】
この発明によれば、調理対象物の調理状況が予め設定された状況に到達すると、他の調理器具を起動するように構成したので、料理を効率的に行うことができる効果がある。
【００４０】
この発明によれば、調理対象物の調理状況に応じて警報を発生するように構成したので、調理の失敗を防止することができる効果がある。
【００４１】
この発明によれば、調理対象物を撮影するカメラを自立型架台又は空気清浄機に設置し、カメラの映像を表示部に出力するように構成したので、調理対象物の状況を確認することができる効果がある。
【００４２】
この発明によれば、自立型架台又は空気清浄機に設置されている人体検知センサが予め設定された期間以上連続して人体の存在を検知しない場合、コイルによる磁力線の発生を止めるように構成したので、安全性を高めることができる効果がある。
【００４３】
この発明によれば、自立型架台が回転軸機構を介してプレート部を支持するように構成したので、非使用時にはプレート部を格納して、スペースを有効に活用することができる効果がある。
【００４４】
この発明によれば、自立型架台が回転軸機構を介して空気清浄機のフードを支持するように構成したので、非使用時には空気清浄機のフードを格納して、スペースを有効に活用することができる効果がある。
【図面の簡単な説明】
【図１】この発明の実施の形態１によるＩＨ調理器を示す側面図である。
【図２】この発明の実施の形態１によるＩＨ調理器を示す斜視図である。
【図３】この発明の実施の形態２によるＩＨ調理器を示す側面図である。
【図４】この発明の実施の形態２によるＩＨ調理器を示す斜視図である。
【図５】監視用センサの内部を示す構成図である。
【図６】制御回路の内部を示す構成図である。
【図７】操作部及びＣＣＤカメラと表示部の接続関係を示す説明図である。
【図８】従来のＩＨ調理器を示す構成図である。
【符号の説明】
１１　プレート部、１２　自立型架台、１２ａ　壁面、１３　空気清浄機、１４　フード、１５　操作部、１６　磁力線発生コイル、１７　制御回路、１８　表示部、１９　回転軸機構、２０　回転軸機構、２１　監視用センサ（状況監視手段）、２２　ＣＣＤカメラ、２３　人体検知センサ、３１　カメラ、３２　メモリ、３３　メモリ、３４　比較部、４１　パターン設定部、４２　進捗状況把握部、４３　制御部、４４　カウント部、５０　電子レンジ（他の調理器具）、５１　サーバ。
【図１】
2004031089.tif 000003
【図２】
2004031089.tif 000004
【図３】
2004031089.tif 000005
【図４】
2004031089.tif 000006
【図５】
2004031089.tif 000007
【図６】
2004031089.tif 000008
【図７】
2004031089.tif 000009
【図８】
2004031089.tif 000010